(57)【要約】【課題】電装品ユニットの上方から落下してくる結露水等の水が電装品に接触するのを防ぐことができる空気調和装置の電装品ユニット及び空気調和装置の室外機を提供する。【解決手段】空気調和装置の電装品ユニット５は、第１制御基板５１と、水防止用天板５３とを備える。第１制御基板５１は、電装品が実装されており、略鉛直方向に延びている。水防止用天板５３は、第１制御基板５１の上方において略鉛直方向に対し交差する方向に延びている。そして、水防止用天板５３は、上方から落下してくる水を第１所定方向ｄｒ１に導くように略水平方向に対し第１所定角度θ１傾斜して配置された第１天板５４と、上方から落下してくる水の第２所定方向ｄｒ２への流れを規制するための段差ｓｔが形成された第２天板５５とを有する。【選択図】図８
2010071518.tif 000002
【特許請求の範囲】
【請求項１】
第１電装品が実装されており、略鉛直方向に延びる第１板状部材（５１）と、
前記第１板状部材（５１）の上方において略鉛直方向に対し交差する方向に延びており、上方から落下してくる水を第１所定方向（ｄｒ１）に導くように略水平方向に対し所定角度傾斜して配置及び／または上方から落下してくる水の第２所定方向（ｄｒ２）への流れを規制するための段差（ｓｔ）が形成された第２板状部材（５３）と、
を備える、
空気調和装置の電装品ユニット（５）。
【請求項２】
前記第２板状部材（５３）の上方には、低圧冷媒が流れる低圧配管（４２ａ）が配置されている、
請求項１に記載の空気調和装置の電装品ユニット（５）。
【請求項３】
前記第２板状部材（５３）には、上方から落下してきた水の流れの拡張を制限するための第１溝（５４ａ〜５４ｄ）が形成されている、
請求項１または２に記載の空気調和装置の電装品ユニット（５）。
【請求項４】
前記第１電装品は、前記第１板状部材（５１）の片面に実装されており、
前記第１板状部材（５１）うち前記第１電装品の実装面の裏側に配置され、前記第１板状部材（５１）に沿って略鉛直方向に延びる第３板状部材（５６）、
を更に備え、
前記第２板状部材（５３）は、上方から落下してきた水が前記第３板状部材（５６）に導かれるように、前記第３板状部材（５６）と連結している、
請求項１〜３のいずれかに記載の空気調和装置の電装品ユニット（５）。
【請求項５】
前記第３板状部材（５６）は、その下部かつ前記第１板状部材（５１）の下方に、前記第１板状部材（５１）側に突出しており、配線が接続される端子部（６０）を含む第２電装品を支持するための突出部（５７ｂ）を有している、
請求項４に記載の空気調和装置の電装品ユニット（５）。
【請求項６】
前記突出部（５７ｂ）は、
前記第１板状部材（５１）側に延びる第１部分（５８）と、
前記第１部分（５８）の先端部分から下方に延びる第２部分（５９）と、
を有し、
前記第２電装品は、前記第２部分（５９）のうち、前記第１板状部材（５１）における前記第１電装品の実装面と同じ側に取り付けられている、
請求項５に記載の空気調和装置の電装品ユニット（５）。
【請求項７】
前記第１部分（５８）は、前記第１板状部材（５１）側に略水平に延びている、
請求項６に記載の空気調和装置の電装品ユニット（５）。
【請求項８】
前記第１部分（５８）は、前記第２部分（５９）側が高くなるように傾斜している、
請求項６に記載の空気調和装置の電装品ユニット（５）。
【請求項９】
前記第２電装品は、その上面が前記突出部（５７ｂ）の前記第１部分（５８）よりも高くなるように、前記第２部分（５９）に取り付けられている、
請求項６〜８のいずれかに記載の空気調和装置の電装品ユニット（５）。
【請求項１０】
前記突出部（５７ｂ）の前記第１部分（５８）には、第１貫通孔（５８ａ〜５８ｂ）が形成されている、
請求項６〜９のいずれかに記載の空気調和装置の電装品ユニット（５）。
【請求項１１】
前記突出部（５７ｂ）の前記第１部分（５８）には、水を第３所定方向（ｄｒ３）に導くための第２溝（５８ｃ〜５８ｅ）が形成されている、
請求項６〜１０のいずれかに記載の空気調和装置の電装品ユニット（５）。
【請求項１２】
前記第１板状部材（５１）及び前記第３板状部材（５６）それぞれは、前記第１板状部材（５１）及び前記第３板状部材（５６）を連結するスペーサ部材（ＳＰ）が貫通するための第２貫通孔（ｈｏ１，ｈｏ２）を有している、
請求項８〜１１のいずれかに記載の空気調和装置の電装品ユニット（５）。
【請求項１３】
略直方体の形状を有するケーシング（２）と、
前記ケーシング（２）の内部を送風室（Ｓｑ２）と機械室（Ｓｑ１）とに分割するように、略鉛直に延びる仕切板（２６）と、
前記機械室（Ｓｑ１）に配置された請求項１〜１２のいずれかに記載の空気調和装置の電装品ユニット（５）と、
を備える、空気調和装置の室外機（１）。
【発明の詳細な説明】
【技術分野】
【０００１】
本発明は、空気調和装置の電装品ユニット、ならびにこれを備えた空気調和装置の室外機に関する。
【背景技術】
【０００２】
従来より、空気調和装置の室外機には、特許文献１に開示されているように、略直方体の形状を有するケーシングが、鉛直方向に延びる仕切板によって機械室と送風室とに分けられているものがある。送風室には、２つのファンが上下方向に並んで配置され、機械室には、圧縮機及び電装品ユニットが設置される。特に、機械室における電装品ユニットは、圧縮機の上方に設置される。そして、この電装品ユニットは、各種制御回路を構成する電装品が実装された制御基板や、各種配線が接続される端子台を有している。
【特許文献１】特開２００８−１３８９４１号公報
【発明の開示】
【発明が解決しようとする課題】
【０００３】
ところで、近年の室外機には、電装品ユニットの上方に、低圧冷媒用の冷媒配管が配置されているものがある。この室外機では、冷媒配管内の冷媒によって冷媒配管の周りの空気が凝縮されて結露が生じ、結露水が電装品ユニットに落下する恐れがある。結露水が電装品ユニットの電装品に接触すると、電装品で構成される各種制御回路に不具合が生じてしまう恐れがある。
【０００４】
そこで、本発明は、電装品ユニットの上方から落下してくる結露水等の水が電装品ユニットの電装品に接触するのを防ぐことができる空気調和装置の電装品ユニット、ならびにこれを備えた空気調和装置の室外機の提供を目的とする。
【課題を解決するための手段】
【０００５】
発明１に係る空気調和装置の電装品ユニットは、第１板状部材と、第２板状部材とを備える。第１板状部材は、第１電装品が実装されており、略鉛直方向に延びている。第２板状部材は、第１板状部材の上方において略鉛直方向に対し交差する方向に延びている。そして、第２板状部材は、上方から落下してくる水を第１所定方向に導くように略水平方向に対し所定角度傾斜して配置及び／または、上方から落下してくる水の第２所定方向への流れを規制するための段差が形成されている。
【０００６】
この空気調和装置の電装品ユニットによると、第１板状部材の上方に設けられた第２板状部材は、上方からの水を第１所定方向に導くように傾斜して配置されているか、更には／または上方からの水が第２所定方向に流れないようにするための段差が形成されている。ここで、第１所定方向は、第１板状部材における第１電装品の実装面以外に水が流れるような方向であって、第２所定方向は、第１板状部材における第１電装品の実装面に水が流れるような方向である。つまり、第２板状部材は、第１板状部材における第１電装品の実装面に水が流れないように、傾斜して配置及び／または段差が形成されている。これにより、上方からの水が第１板状部材上の第１電装品に到達することを防ぐことができる。従って、第１電装品への水の接触による不具合の発生を防ぐことができる。
【０００７】
発明２に係る空気調和装置の電装品ユニットは、発明１に係る空気調和装置の電装品ユニットであって、第２板状部材の上方には、低圧冷媒が流れる低圧配管が配置されている。
【０００８】
低圧配管には低圧冷媒が流れるため、低圧配管の周囲における空気中の水蒸気が凝縮されて結露が生じ、第２板状部材には結露水が落下し易くなる。しかし、この電装品ユニットによると、第２板状部材の上方に低圧配管が配置されているとしても、第２板状部材は、傾斜して配置及び／または段差が形成されているため、落下してきた結露水は第１電装品に到達しにくくなる。
【０００９】
発明３に係る空気調和装置の電装品ユニットは、発明１または２に係る空気調和装置の電装品ユニットであって、第２板状部材には、上方から落下してきた水の流れの拡張を制限するための第１溝が形成されている。
【００１０】
この電装品ユニットによると、第２板状部材には、水の流れが拡張するのを制限するための第１溝が形成されているため、水は、第２板状部材の第１溝を伝って流れる。従って、第２板状部材上の水の流れが拡張してしまい、水が第１板状部材の第１電装品に到達してしまうのを防ぐことができる。
【００１１】
発明４に係る空気調和装置の電装品ユニットは、発明１〜３のいずれかに係る空気調和装置の電装品ユニットであって、第１電装品は、第１板状部材の片面に実装されている。この空気調和装置の電装品ユニットは、第３板状部材を更に備える。第３板状部材は、第１板状部材うち第１電装品の実装面の裏側に配置され、第１板状部材に沿って略鉛直方向に延びている。そして、第２板状部材は、上方から落下してきた水が第３板状部材に導かれるように、第３板状部材と連結している。
【００１２】
この電装品ユニットによると、第２板状部材は、第１板状部材における第１電装品の実装面とは反対の面側に配置された第３板状部材に連結されている。そのため、第２板状部材の上方から落下してきた水は、第３板状部材の側面（より具体的には、第１電装品の実装面側とは反対側の側面。以下、第３板状部材の裏面という）を伝って流れるようになる。
【００１３】
発明５に係る空気調和装置の電装品ユニットは、発明４に係る空気調和装置の電装品ユニットであって、第３板状部材は、その下部かつ第１板状部材の下方に、突出部を有している。突出部は、第１板状部材側に突出しており、配線が接続される端子部を含む第２電装品を支持する。
【００１４】
この電装品ユニットによると、第３板状部材の下部における突出部には、端子部を含む第２電装品が設けられている。これにより、第２板状部材の上方から落下してきた水は、第３板状部材の裏面、特に突出部の裏側を経て下方に流れていく。従って、端子部を含む第２電装品には、水が接触しにくくなる。
【００１５】
発明６に係る空気調和装置の電装品ユニットは、発明５に係る空気調和装置の電装品ユニットであって、突出部は、第１部分と第２部分とを有する。第１部分は、第１板状部材側に延びている。第２部分は、第１部分の先端部分から下方に延びている。そして、第２電装品は、第２部分のうち、第１板状部材における第１電装品の実装面と同じ側に取り付けられている。
【００１６】
この電装品ユニットによると、第３板状部材の裏面を伝ってきた結露水等の水は、第２部分の裏側、つまり端子部を含む第２電装品の取り付け面の裏面を流れるようになるため、第２電装品に水が接触するのを防止することができる。
【００１７】
発明７に係る空気調和装置の電装品ユニットは、発明６に係る空気調和装置の電装品ユニットであって、第１部分は、第１板状部材側に略水平に延びている。
【００１８】
この電装品ユニットによると、第１部分は、略水平に延びているため、第３板状部材の本体部分と突出部とが比較的肉薄の金属で一体成型されているとしても、突出部の強度を保つことができる。
【００１９】
発明８に係る空気調和装置の電装品ユニットは、発明６に係る空気調和装置の電装品ユニットであって、第１部分は、第２部分側が高くなるように傾斜している。
【００２０】
この電装品ユニットによると、第１部分は、端子部を含む第２電装品が取り付けられる第２部分側が高くなるように傾斜している。これにより、仮に第３板状部材の側面のうち、第１電装品の実装面側である側面（以下、表面という）を水が伝って流れてきたとしても、この水は、第１部分から第２部分へは流れにくくなる。従って、第２電装品には水が到達しにくくなる。
【００２１】
発明９に係る空気調和装置の電装品ユニットは、発明６〜８のいずれかに係る空気調和装置の電装品ユニットであって、第２電装品は、その上面が突出部の第１部分よりも高くなるように、第２部分に取り付けられている。
【００２２】
この電装品ユニットによると、端子部を含む第２電装品の上面は突出部の第１部分よりも高い。つまり、第２電装品の上面と突出部の第１部分との間には段差が生じるように、第２電装品は突出部に取り付けられている。これにより、仮に第３板状部材の表面を水が伝って流れてきたとしても、第２電装品と突出部との間の段差により、水は第２電装品側には流れにくくなる。また、仮に、突出部の第１部分が第２部分側に向かって低くなるように傾斜している場合、第２部分に取り付けられる第２電装品に水が行きやすくなるが、端子部の上面と突出部の第１部分との間には段差が生じているため、第２電装品には水が到達しにくくなる。
【００２３】
発明１０に係る空気調和装置の電装品ユニットは、発明６〜９のいずれかに係る空気調和装置の電装品ユニットであって、突出部の第１部分には、第１貫通孔が形成されている。
【００２４】
この電装品ユニットによると、突出部の第１部分には第１貫通孔が形成されている。そのため、仮に第３板状部材の表面を水が伝って流れてきたとしても、この水は、第１貫通孔から下方へ落下するようになる。また、仮に、突出部の第１部分が第２部分側に向かって低くなるように傾斜している場合、第２部分に取り付けられる第２電装品に水が行きやすくなるが、例えば第１貫通孔を第１部分の第２部分側に形成することで、第２電装品に水を到達しにくくすることができる。
【００２５】
発明１１に係る空気調和装置の電装品ユニットは、発明６〜１０のいずれかに係る空気調和装置の電装品ユニットであって、突出部の第１部分には、水を第３所定方向に導くための第２溝が形成されている。
【００２６】
この電装品ユニットによると、突出部の第１部分には第２溝が形成されている。そのため、仮に第３板状部材の表面を水が伝って流れてきたとしても、この水は第２溝を伝って第３所定方向に流れるようになる。第３所定方向を、第２電装品に水が流れないような方向とすることで、第２電装品に水が到達しないようにすることができる。特に、第２溝を凸部状に形成することで、突出部の強度をより確保することができる。
【００２７】
発明１２に係る空気調和装置の電装品ユニットは、発明８〜１１のいずれかに係る空気調和装置の電装品ユニットであって、第１板状部材及び第３板状部材それぞれは、第１板状部材及び第３板状部材を連結するスペーサ部材が貫通するための第２貫通孔を有している。
【００２８】
この電装品ユニットでは、第１板状部材及び第３板状部材それぞれにスペーサ部材用の第２貫通孔が形成されている。このように、第２貫通孔が形成されていると、スペーサ部材が各部材の第２貫通孔を貫通して第１板状部材と第３板状部材とを連結しているとしても、各第２貫通孔には多少の隙間がある状態となってしまう。すると、第３板状部材の裏面を流れていた水は、この隙間を介して第３板状部材の表面や、第１板状部材の第１電装品の実装面に流れてしまう恐れがある。しかし、本発明の電装品ユニットでは、第１板状部材の下方に位置する突出部の第１部分には第１貫通孔や第２溝が形成されていたり、端子部の上面と突出部の第１部分との間には段差が生じていたりする。また、第１部分が、第２部分側に向かって高くなるように傾斜していたりする。そのため、水が、第２貫通孔の隙間を介して第３板状部材の表面や第１板状部材の第１電装品の実装面に伝って流れてきたとしても、この水は第２電装品側には流れにくくなる。
【００２９】
発明１３に係る空気調和装置の室外機は、ケーシングと、仕切板と、空気調和装置の電装品ユニットとを備える。ケーシングは、略直方体の形状を有する。仕切板は、ケーシングの内部を送風室と機械室とに分割するように、略鉛直に延びている。空気調和装置の電装品ユニットは、機械室に配置されており、上記発明１〜１２のいずれかに係る電装品ユニットである。
【００３０】
この空気調和装置の室外機によると、発明１〜１２と同様の効果を奏することができる。
【発明の効果】
【００３１】
発明１に係る空気調和装置の電装品ユニットによると、上方からの水が第１板状部材上の第１電装品に到達することを防ぐことができるため、第１電装品への水の接触による不具合の発生を防ぐことができる。
【００３２】
発明２に係る空気調和装置の電装品ユニットによると、第２板状部材の上方に低圧配管が配置されているとしても、第２板状部材は、傾斜して配置及び／または段差が形成されているため、落下してきた結露水は第１電装品に到達しにくくなる。
【００３３】
発明３に係る空気調和装置の電装品ユニットによると、第２板状部材上の水の流れが拡張してしまい、水が第１板状部材の第１電装品に到達してしまうのを防ぐことができる。
【００３４】
発明４に係る空気調和装置の電装品ユニットによると、第２板状部材の上方から落下してきた水は、第３板状部材の裏面を伝って流れるようになる。
【００３５】
発明５に係る空気調和装置の電装品ユニットによると、第２板状部材の上方から落下してきた水は、第３板状部材の裏面、特に突出部の裏側を経て下方に流れていくため、端子部を含む第２電装品には、水が接触しにくくなる。
【００３６】
発明６に係る空気調和装置の電装品ユニットによると、第２電装品に水が接触するのを防止することができる。
【００３７】
発明７に係る空気調和装置の電装品ユニットによると、第３板状部材の本体部分と突出部とが比較的肉薄の金属で一体成型されているとしても、突出部の強度を保つことができる。
【００３８】
発明８に係る空気調和装置の電装品ユニットによると、仮に第３板状部材の表面を水が伝って流れてきたとしても、この水は、第１部分から第２部分へは流れにくくなるため、第２電装品には水が到達しにくくなる。
【００３９】
発明９に係る空気調和装置の電装品ユニットによると、仮に第３板状部材の表面を水が伝って流れてきたとしても、第２電装品と突出部との間の段差により、水は第２電装品側には流れにくくなる。また、仮に突出部の第１部分が第２部分側に向かって低くなるように傾斜している場合、第２部分に取り付けられる第２電装品に水が行きやすくなるが、第２電装品の上面と突出部の第１部分との間には段差が生じているため、第２電装品には水が到達しにくくなる。
【００４０】
発明１０に係る空気調和装置の電装品ユニットによると、仮に第３板状部材の表面を水が伝って流れてきたとしても、この水は、第１貫通孔から下方へ落下するようになる。また、仮に、突出部の第１部分が第２部分側に向かって低くなるように傾斜している場合、第２部分に取り付けられる第２電装品に水が行きやすくなるが、例えば第１貫通孔を第１部分の第２部分側に形成することで、第２電装品に水を到達しにくくすることができる。
【００４１】
発明１１に係る空気調和装置の電装品ユニットによると、第３所定方向を、第２電装品に水が流れないような方向とすることで、第２電装品に水が到達しないようにすることができる。特に、第２溝を凸部状に形成することで、突出部の強度をより確保することができる。
【００４２】
発明１２に係る空気調和装置の電装品ユニットによると、水が、第２貫通孔の隙間を介して第３板状部材の表面や第１板状部材の第１電装品の実装面に伝って流れてきたとしても、この水は第２電装品側には流れにくくなる。
【００４３】
発明１３に係る空気調和装置の室外機によると、発明１〜１２と同様の効果を奏することができる。
【発明を実施するための最良の形態】
【００４４】
以下、本発明に係る空気調和装置の電装品ユニットならび空気調和装置の室外機について、図面を参照しつつ詳細に説明する。
【００４５】
（１）空気調和装置の室外機の構成
図１は、本発明の一実施形態に係る空気調和装置の室外機１の外観斜視図である。図２は、図１の室外機１の分解斜視図である。図３は、室外機１におけるケーシング２の右前板２２、右側板２３、背面グリル２４及び天板２５が取り除かれた状態の、室外機１の斜視図である。この室外機１は、室外に設置されており、室内の壁面等に取り付けられている室内機（図示せず）と冷媒連絡配管（図示せず）を介して接続されている。尚、以下の説明においては、「上」、「下」、「左」、「右」、「鉛直」、「水平」等の方向を示す表現を適宜用いているが、これらは、室外機１が図１の状態で設置された状態での各方向を表す。また、室外機１について「正面」は、ファングリル２１ａ，２１ｂが配置されている面を表し、「背面」は、「正面」に対向する面を表すものとする。
【００４６】
室外機１は、図１〜図３に示すように、主として、ケーシング２、仕切板２６、板状部材３、室外熱交換器４１、四路切換弁４２、圧縮機４３、ＩＨヒータユニット４５、送風ファン４６ａ，４６ｂ、電装品ユニット５、及び放熱フィン７を備える。
【００４７】
（１−１）ケーシング
ケーシング２は、図１に示されるように、略直方体の形状を有しており、板金及び樹脂によって形成されている。そして、ケーシング２は、図２に示すように、底板２０、左前側板２１、右前板２２、右側板２３、背面グリル２４、及び天板２５で構成される。
【００４８】
底板２０は、ケーシング２の下面部分を構成する略直方形状の金属製の板状部材である。底板２０の周縁部は、上向きに折り曲げられている。底板２０の上面には、圧縮機４３から吐出されたガス冷媒が流れるためのガス冷媒用配管２０ａが配置されている。また、底板２０の下面には、現地据付面に固定される２つの固定脚２０ｂ，２０ｃが設けられている。
【００４９】
左前側板２１は、主にケーシング２の左側部分を構成する金属製の板状部材である。左前側板２１は、上面視において略Ｌ字形状に形成されており、室外機１の左側面から正面の左側部分にかけて配置され、底板２０から天板２５まで延びている。左前側板２１のうち、室外機１の正面を構成する部分には、円の形状を有する吹き出し口（図示せず）が上下方向に並んで２つ形成され、各吹き出し口を覆うようにしてファングリル２１ａ，２１ｂがそれぞれ取り付けられている。尚、吹き出し口は、送風ファン４６ａ，４６ｂによってケーシング２の背面側及び左側面側から内部に取り込まれた空気を外部に排出するための開口である。
【００５０】
右前板２２は、主にケーシング２の正面右側を構成する金属製の板状部材である。より具体的には、右前板２２は、上面視において略Ｌ字形状に形成されており、室外機１の右側面の一部分から正面の右側部分にかけて配置され、底板２０から天板２５まで延びている。つまり、左前側板２１と右前板２２とで、ケーシング２の正面が構成される。
【００５１】
特に、本実施形態に係る右前板２２には、２つの開口２２ａ，２２ｂが形成されている。２つの開口２２ａ，２２ｂのうち、上側に位置する開口２２ａは、外気をケーシング２内部に取り込むための開口であって、後述する放熱フィン７によって決定された位置に設けられている。以下、この開口２２ａを、外気取り込み用開口という。尚、外気取り込み用開口２２ａの位置関係については、「（１−１０）放熱フィン」で説明する。そして、外気取り込み用開口２２ａよりも下方に位置する開口２２ｂは、室外機１と室内機（図示せず）とを繋ぐ冷媒連絡配管が通るための開口である。以下、この開口２２ｂを、配管用開口という。配管用開口２２ｂは、右前板２２の前端付近かつ側端付近であって、底板２０付近に形成されている。
【００５２】
右側板２３は、主に、ケーシング２の右側面のうち、右前板２２により構成される部分を除く残りの部分と、背面の一部とを構成する金属性の板状部材である。右側板２３は、底板２０から天板２５まで延びており、上面視において略Ｌ字形状に形成されている。
【００５３】
背面グリル２４は、主にケーシング２の背面を構成している。具体的に、背面グリル２４は、右側板２３で構成される部分を除く残りの部分（具体的には、ケーシング２の背面の左寄りの部分）を構成しており、底板２０から天板２５まで延びている。背面グリル２４は、格子状に組まれた金属製のワイヤにポリプロピレン樹脂製の枠を取り付けた構造となっている。
【００５４】
天板２５は、ケーシング２の上面を構成する略直方形状の金属製の板状部材である。天板２５の周縁部分は、左前側板２１、右前板２２、右側板２３及び背面グリル２４の各上端部と係合可能な形状を有している。
【００５５】
（１−２）仕切板
仕切板２６は、ケーシング２の底板２０から天板２５に至るまで略鉛直に延びており、上面視において弧状の形状を有している。仕切板２６は、図３に示すように、ケーシング２内部を機械室Ｓｑ１と送風室Ｓｑ２とに分割するようにしてケーシング２内に設けられている。機械室Ｓｑ１には、四路切換弁４２、圧縮機４３、ＩＨヒータユニット４５、電装品ユニット５及び放熱フィン７が設置され、送風室Ｓｑ２には、室外熱交換器４１及び送風ファン４６ａ，４６ｂが設置されている。
【００５６】
そして、仕切板２６の上部には、２つの通気口２６ａ，２６ｂが上下方向に並んで形成されている。通気口２６ａ，２６ｂは、機械室Ｓｑ１から送風室Ｓｑ２へと流れる空気が通過するための開口である。尚、通気口２６ａ，２６ｂを通過する空気の流れについては、「（１−１０）放熱フィン」の“〔外気の経路〕”で説明する。更に、仕切板２６には、図４に示されるように、電装品ユニット５及び板状部材３の一部が送風室Ｓｑ２側に露出されるための電装品ユニット用開口２６ｃが形成されている。本実施形態では、電装品ユニット用開口２６ｃは、仕切板２６の約半分の高さ位置よりも上部であって、かつ通気口２６ａ，２６ｂよりも下部に形成されている（図３）。
【００５７】
更に、仕切板２６には、図４及び図６に示されるように、ファンモータ用の電源配線Ｌ１，Ｌ２が通るための配線用開口２６ｄが形成されている。配線用開口２６ｄは、電装品ユニット用開口２６ｃよりも下部に位置している。この配線用開口２６ｄにより、ファンモータ用の電源配線Ｌ１，Ｌ２は、送風室Ｓｑ２側から機械室Ｓｑ１側へと延びることができる。
【００５８】
（１−３）板状部材
板状部材３は、仕切板２６に電装品ユニット５を支持させるためのものであって、図２〜図４及び図６に示されるように、仕切板２６と電装品ユニット５との間に仕切板２６に沿って略鉛直に延びている。この板状部材３は、ファングリル２１ａの約半分の高さ位置から仕切板２６の約半分の高さ位置まで至る程度の長さを有している（図２及び図３）。即ち、板状部材３は、装着される電装品ユニット５の高さとほぼ同程度の高さを有している（図４）。このような板状部材３は、図４及び図５に示されるように、板状部材本体部３１と２つの配線支持部３２ａ，３２ｂとを有する。ここで、図５は、図３の室外機１のＶ−Ｖ断面を、上から見た場合の図である。
【００５９】
板状部材本体部３１は、金属製の板状部材である。板状部材本体部３１は、上面視において上方向から第１所定位置Ｐ１までは（即ち、板状部材本体部３１の部分３１ａ）、仕切板２６に沿って延びており、第１所定位置Ｐ１から第２所定位置Ｐ２までは（即ち、板状部材本体部３１の部分３１ｂ）、仕切板２６から離れる方向に延びている。つまり、板状部材本体部３１の部分３１ａは、上面視において仕切板２６に沿って略弧状の形状を有しており、板状部材本体部３１の部分３１ｂは、上面視において仕切板２６と交差する方向（図５の矢印Ｘ方向）に延びている。
【００６０】
２つの配線支持部３２ａ，３２ｂは、図６に示されるように、配線用開口２６ｄを介して送風室Ｓｑ２から延びるファンモータ用の電源配線Ｌ１，Ｌ２を支持するためのものであって、図３〜図４及び図６に示されるように、正面視において上下方向に互いに離反した箇所に位置している。各配線支持部３２ａ，３２ｂは、図５に示されるように、仕切板２６との間に押し込まれた電源配線Ｌ１，Ｌ２を支持可能なように、仕切板２６と所定距離隔てて設けられている。更に、配線支持部３２ａ，３２ｂは、板状部材本体部３１の第２所定位置Ｐ２から仕切板２６側（即ち、図５の矢印Ｙ方向）に向かって延びており、その先端部分は電源配線Ｌ１，Ｌ２の支持される側とは逆側、即ちケーシング２の正面側に向かって折り返されている。つまり、この配線支持部３２ａ，３ｂは、折り返し点Ｐ３から一番近い仕切板２６まで、所定距離Ｄだけ離れている。所定距離Ｄは、支持される電源配線Ｌ１，Ｌ２の直径に応じて決定され、本実施形態では、略６ｍｍとなっている。このような構成を有する配線支持部３２ａ，３２ｂにより、電源配線Ｌ１，Ｌ２は、配線支持部３２ａ，３２ｂの先端部分によって損傷することなく配線支持部３２ａ，３２ｂと仕切板２６との間に押し込まれ、配線支持部３２ａ，３２ｂにより支持される。
【００６１】
また、上記配線支持部３２ａ，３２ｂは、弾性変形可能な材質として、肉薄の金属によって形成されている。特に、本実施形態に係る配線支持部３２ａ，３２ｂは、肉薄の金属によって、板状部材本体部３１と一体形成されている（図７（ａ））。具体的には、図７（ａ）の点線部分Ａ１，Ａ２，Ａ３で折り曲げられることで、２つの部分３１ａ，３１ｂからなる板状部材本体部３１と配線支持部３２ａ，３２ｂとが形成される（図７（ｂ））。尚、点線部分Ａ１及び点線部分Ａ２では同じ側に折り曲げられ、点線部分Ａ３では、点線部分Ａ１，Ａ２とは逆方向に折り曲げられる。これにより、図７（ａ）の部分Ａ０〜Ａ２は、板状部材本体部３１のうち仕切板２６に沿った部分３１ａ（即ち、図５及び図７（ｂ）の部分３１ａ）となり、部分Ａ２〜Ａ３は、板状部材本体部３１のうち仕切板２６から離れた部分（即ち、図５及び図７（ｂ）の部分３１ｂ）となる。図７（ａ）の部分Ａ３〜Ａ５は、配線支持部３２ａ，３２ｂとなるが、更に図７（ａ）の点線部分Ａ４が点線部分Ａ３とは逆方向（即ち、点線部分Ａ１，Ａ２と同じ方向）に折り曲げられることで、部分Ａ４〜Ａ５は、配線支持部３２ａ，３２ｂの折り返し部分となる。このようにして配線支持部３２ａ，３２ｂが板状部材本体部３１と一体形成されることで、各配線支持部３２ａ，３２ｂは、板状部材本体部３１に対し、第１所定位置Ｐ１から第２所定位置Ｐ２まで延びている板状部材本体部３１の部分３１ｂを介して繋がっているようになる。
【００６２】
尚、本実施形態では、板状部材３は、厚さ略０．８ｍｍの金属で形成されている。板状部材本体部３１の部分３１ａは、上面視において図７（ｂ）のＢ１方向への長さが略２４．６ｃｍ、部分３１ｂは、Ｂ２方向への長さが略４．７ｃｍとなっている。そして、配線支持部３２ａ，３２ｂは、板状部材本体部３１の部分３１ｂに対し略３０度傾斜しており、約１，７ｃｍの長さを有している。
【００６３】
このような板状部材３は、電装品ユニット５が装着されると（図４）、仕切板２６の電装品ユニット用開口２６ｃの位置に合わせて仕切板２６に取り付けられる。
【００６４】
（１−４）室外熱交換器
室外熱交換器４１は、ケーシング２の背面側及び左側面側からケーシング２内に吸い込まれてきた空気と熱交換を行うためのものである。室外熱交換器４１は、図２に示すように略Ｌ字状の形状を有しており、図３に示すように、ケーシング２の左側面から背面に沿うように配置されている。このような室外熱交換器４１は、長手方向両端で複数回折り返されてなる伝熱管（図示せず）と、伝熱管が挿通される複数のフィンを含むフィン部分（図示せず）とを有する。伝熱管は、配管（図示せず）と接続されており、伝熱管の内部には、該配管内を流れる冷媒が流れている。
【００６５】
（１−５）四路切換弁
四路切換弁４２は、冷媒の流れ方向を切り換えるためのものである。四路切換弁４２は、ＩＨヒータユニット４５の上方かつ電装品ユニット５における水防止用天板５３の上方に位置している。四路切換弁４２は、冷房運転時には、室外熱交換器４１を圧縮機４３により圧縮された冷媒の冷却器として機能させるべく、圧縮機４３の吐出側と室外熱交換器４１の一端とを接続すると共に、圧縮機４３の吸入側と冷媒連絡配管（図示せず）とを接続する。また、四路切換弁４２は、暖房運転時には、室外熱交換器４１を室内熱交換器（図示せず）において冷却された冷媒の加熱器として機能させるべく、圧縮機４３の吐出側と冷媒連絡配管（図示せず）とを接続すると共に、圧縮機４３の吸入側と室外熱交換器４１の一端とを接続する。
【００６６】
このような四路切換弁４２は、図３及び図８に示されるように、低圧冷媒が流れる低圧配管４２ａを有している。低圧配管４２ａに低圧冷媒が流れると、低圧配管４２ａの周囲における空気中の水蒸気が凝縮されて結露が生じ、結露水が下方に落下し易くなる。
【００６７】
また、四路切換弁４２のうち吐出系の配管４２ｂは、比較的ケーシング２に近い箇所に位置している。そのため、配管４２ｂは、ケーシング２の右前板２２及び右側板２３に接触し易い。しかし、本実施形態では、ケーシング２に近い配管４２ｂの部分には、断熱材４２ｃが巻かれているため、配管４２ｂが直接ケーシング２の右前板２２及び右側板２３に接触することはない。
【００６８】
（１−６）圧縮機
圧縮機４３は、冷媒を圧縮するためのものであって、図示しない圧縮機用モータによって駆動される。圧縮機４３は、図３に示すように、機械室Ｓｑ１内に配置されている。より具体的には、圧縮機４３は、機械室Ｓｑ１内のうち、仕切板２６の近傍であって、かつ電装品ユニット５の下側に配置されている。また、圧縮機４３の横には、アキュムレータ４４が位置している。
【００６９】
（１−７）ＩＨヒータユニット
ＩＨヒータユニット４５は、主として電磁誘導コイルで構成されており、機械室Ｓｑ１におけるアキュムレータ４４の上部に位置している。ＩＨヒータユニット４５は、配管を介してアキュムレータ４４及び四路切換弁４２と接続されている。ＩＨヒータユニット４５は、冷媒を素早く加熱する運転時にのみオンする。ここで、冷媒を素早く加熱する運転時としては、運転開始時や、室外熱交換器４１に付着した霜を取り除くデフロスト運転時が挙げられる。
【００７０】
（１−８）送風ファン
送風ファン４６ａ，４６ｂは、送風室Ｓｑ２内の空気を室外機１の外部に送るためのものである。送風ファン４６ａ，４６ｂは、図２に示されるように、上下方向に並ぶにようにして２基設けられている。より具体的には、各送風ファン４６ａ，４６ｂは、３枚の翼を有するプロペラファンであって、ケーシング２の左前側板２１に上下方向に並んで形成された各吹き出し口に対応するようにして配置されている。各送風ファン４６ａ，４６ｂの回転軸には、各送風ファン４６ａ，４６ｂの回転駆動源として機能するファンモータ（図示せず）の出力軸がそれぞれ連結されている。そのため、各ファンモータが回転すると、各送風ファン４６ａ，４６ｂは、各ファンモータの回転が回転軸に伝達されることにより回転することができる。
【００７１】
（１−９）電装品ユニット
電装品ユニット５は、機械室Ｓｑ１内の、圧縮機４３の上側に配置されており、複数の電装品を収納している。電装品ユニット５は、例えば図４に示されるように、主として、第１制御基板５１（第１板状部材に相当）、第２制御基板５２、水防止用天板５３（第２板状部材に相当）、及び水防止用部材５６（第３板状部材に相当）を有する。
【００７２】
〔第１制御基板〕
第１制御基板５１は、図３、図６及び図９に示されるように、ケーシング２の略正面（具体的には、ケーシング２の右前板２２の正面側部分）に沿って略鉛直方向に延びるようにして設けられている。第１制御基板５１は、ＩＨヒータユニット４５、即ち電磁誘導コイルの制御用基板であって、ＩＨヒータユニット４５のオン及びオフ等を制御する制御回路の他、該制御回路に供給される電源生成用の電源回路等を構成する複数の電装品（第１電装品に相当）が実装されている。特に、電源回路を構成する電装品には、パワートランジスタ等の発熱部品が含まれており、第１制御基板５１には、電装品全てがケーシング２の正面側の面（以下、第１制御基板５１の表面という）のみに実装されている。つまり、第１制御基板５１には、第１制御基板５１の片面にのみ電装品が実装されている。そして、第１制御基板５１には、図１１に示されるように、第１スペーサ用貫通孔ｈｏ１（第２貫通孔に相当）が形成されている。第１スペーサ用貫通孔ｈｏ１は、スペーサ部材ＳＰが貫通するための孔である。
【００７３】
〔第２制御基板〕
第２制御基板５２は、図３〜図４、図６及び図８に示されるように、仕切板２６及び板状部材３に沿うようにして略鉛直に延びて配置されている。つまり、第２制御基板５２は、上面視において第１制御基板５１に対し所定の角度傾斜するようにして配置されている。この第２制御基板５２には、ＩＨヒータユニット４５以外の機器、具体的には圧縮機用モータ、四路切換弁４２、ファンモータ等の制御回路を構成する複数の電装品が実装されている。複数の電装品は、第２制御基板５２のうち、仕切板２６側の面とは反対側の面、即ち第１制御基板５１側の面に実装されている。つまり、第１制御基板５１と同様、第２制御基板５２には、第２制御基板５２の片面にのみ電装品が実装されている。
【００７４】
更に、上記第２制御基板５２には、図４及び図６に示されるように、２つのコネクタ５２ａ，５２ｂが取り付けられている。コネクタ５２ａ，５２ｂは、送風室Ｓｑ２から延びるファンモータ用の電源配線Ｌ１，Ｌ２の接続用コネクタである。このコネクタ５２ａ，５２ｂは、第２制御基板５２において電装品が実装されている面の左側端部付近かつ上部に、上下方向に２つ並んで位置している。このコネクタ５２ａ，５２ｂには、図６に示されるように、仕切板２６の配線用開口２６ｄから板状部材３に沿って上方へと延びる電源配線Ｌ１，Ｌ２の先端部分が接続される。尚、該電源配線Ｌ１，Ｌ２は、その途中が板状部材３の配線支持部３２ａ，３２ｂによって支持された状態となっている。
【００７５】
〔水防止用天板〕
水防止用天板５３は、図３〜図４，図６及び図９に示されるように、第１制御基板５１の上方において略鉛直方向に対し交差する方向に延びており、金属で形成されている。本実施形態では、水防止用天板５３は、厚さ略０．８ｍｍの金属で形成されている。水防止用天板５３は、図４，図６及び図８に示されるように、第１天板５４と第２天板５５とで構成されている。
【００７６】
第１天板５４は、第１制御基板５１における電装品の実装面の裏側に位置する水防止用部材５６の上端部に連結されており、該上端部から該実装面側、つまりケーシング２の正面側へ突出するように延びている。特に、本実施形態に係る第１天板５４は、水防止用天板５３の上方（具体的には、四路切換弁４２の低圧配管４２ａ）から落下してくる結露水を第１所定方向ｄｒ１に導くように、水平方向に対し第１所定角度θ１傾斜して配置されている（図９）。具体的に、第１天板５４は、水防止用部材５６の上端部側から第１実装面側へと突出するに連れて除々に高くなるように傾斜している。つまり、第１天板５４は、結露水が、ケーシング２の正面側から第１制御基板５１の裏側に位置する水防止用部材５６へと導かれるように、水防止用部材５６の上端部側が第１制御基板５１の電装品の実装面側、即ちケーシング２の正面側よりも低くなるように傾斜している。これにより、水防止用天板５３の上方から第１天板５４へと落下してきた結露水は、第１制御基板５１における電装品の実装面には接触せず、第１天板５４を伝って水防止用部材５６へと流れる。
【００７７】
また、第１天板５４の上面には、図４、図６及び図８に示されるように、第１所定方向ｄｒ１に沿うようにして４本の第１溝５４ａ，５４ｂ，５４ｃ，５４ｄが形成されている。各第１溝５４ａ〜５４ｄは、凹状の形状を有しており、上方から落下してきた結露水の流れの拡張を制限する。このような第１溝５４ａ〜５４ｄは、それぞれ第１天板５４の上面のうちケーシング２の正面側から水防止用部材５６の上端部にかけて延びており、互いに離反して設けられている。本実施形態では、各第１溝５４ａ〜５４ｄの深さは略１．５ｍｍ、幅は略３ｍｍとなっている。この第１溝５４ａ〜５４ｄにより、結露水は、その流れが拡張することなく、第１溝５４ａ〜５４ｄに沿ってケーシング２の正面側から水防止用部材５６へと流れるようになる。
【００７８】
第２天板５５は、図４及び図６に示されるように、第２制御基板５２の上端部と水防止用部材５６の上端部付近とを連結すると共に、図８及び図１０に示されるように、四路切換弁４２の下方にまで延びている。ここで、図１０は、図８の室外機１からケーシング２を除いた機械室Ｓｑ１内部を、背面側（図８の矢印Ｖ）から見た場合の、囲い部Ｗ１付近の図である。図１０からも明らかなように、本実施形態に係る第２天板５５には、段差ｓｔが形成されている。段差ｓｔは、上方から落下してくる結露水の第２所定方向ｄｒ２への流れを規制するためのものである。より具体的には、第２所定方向ｄｒ２、即ち第２制御基板５２における電装品の実装面への結露水の流れを規制するべく、段差ｓｔは、第２天板５５における第２制御基板５２に近い側が遠い側よりも高くなるように形成されている。つまり、段差ｓｔは、第２天板５５において、四路切換弁４２側よりも第２制御基板５２における電装品の実装面側が高くなるように形成されている。本実施形態では、段差ｓｔは、第１天板５４上の第１溝５４ａ〜５４ｄに沿うようにして１段形成されており（図８）、四路切換弁４２側よりも第２制御基板５２側の方が略３ｍｍ高くなっている。
【００７９】
また、第２天板５５の上面のうち、第２制御基板５２における電装品の実装面に近い部分には、変圧器として機能するリアクタＲｅが配置されている。更に、第２天板５５のうちケーシング２の正面側付近には、開口５５ａが設けられている（図８）。この開口５５ａは、室外機１の組み立て工程において、板状部材３に装着された電装品ユニット５を仕切板２６に取り付ける作業が行われる際等に、作業者が開口５５ａを取っ手として用いることで電装品ユニット５を容易に持ち上げられるようにするための開口である（図４）。尚、電装品ユニット５を持ち上げる際には、作業者は、開口５５ａを一方の手で持つと共に、電装品ユニット５の右側下部を他方の手で支えることで、電装品ユニット５を安定して持ち上げることができる。
【００８０】
〔水防止用部材〕
水防止用部材５６は、既に述べたように、第１制御基板５１における電装品の実装面の裏側に配置され、水防止用天板５３と同様、厚さ略０．８ｍｍの金属で形成されている。水防止用部材５６は、図１１に示されるように、第１制御基板５１の第１スペーサ用貫通孔ｈｏ１に対応する位置に、第２スペーサ用貫通孔ｈｏ２（第２貫通孔に相当）を有している。これにより、第１制御基板５１及び水防止用部材５６は、スペーサ部材ＳＰが第１及び第２スペーサ用貫通孔ｈｏ１，ｈｏ２を貫通することで連結されるようになる。
【００８１】
そして、水防止用部材５６は、例えば図９に示されるように、第１制御基板５１に沿って略鉛直方向に延びている。水防止用部材５６は、第１制御基板５１の鉛直方向の長さよりも若干長く延びている水防止用部材本体５７ａと、水防止用部材本体５７ａの下部かつ第１制御基板５１の下方において、第１制御基板５１側（つまり、ケーシング２の正面側）に突出した突出部５７ｂとを有している。突出部５７ｂは、端子台６０を支持するためのものであって、第１部分５８と第２部分５９とで構成される（図１１）。
【００８２】
第１部分５８は、図１１に示されるように、第１制御基板５１側に延びている。より具体的には、本実施形態に係る第１部分５８は、第１制御基板５１の下方において、第１制御基板５１の裏側に位置する水防止用部材本体５７ａの下端部からケーシング２の正面側（即ち、右前板２２側）に向かって略水平に延びている。第１部分５８の先端部分は、第１制御基板５１よりもケーシング２の正面側に位置している。そして、第１部分５８には、図１２に示されるように、２つの水排出用貫通孔５８ａ，５８ｂ（第１貫通孔に相当）と３つの第２溝５８ｃ，５８ｄ，５８ｅとが形成されている。水排出用貫通孔５８ａ〜５８ｂは、結露水を第１部分５８の下方に落下させるための孔である。第２溝５８ｃ〜５８ｅは、それぞれ凹状の形状を有しており、水防止用部材本体５７ａ側からケーシング２の正面側に向かって若干低くなるように第２所定角度θ２傾斜している（図１３）。このような第２溝５８ｃ〜５８ｅは、結露水を、水防止用部材本体５７ａ側からケーシング２の正面側に向かう第３所定方向ｄｒ３に導くことができる。
【００８３】
第２部分５９は、第１部分５８の先端部分から下方に向かって略鉛直に延びている。第２部分５９のうち、第１制御基板５１における電装品の実装面と同じ側には、第１及び第２制御基板５１，５２から延びる各種配線が接続される端子台６０（端子部に相当）が取り付けられている。尚、この端子台６０には、主に上面、ケーシング２の正面近傍であってかつ該正面に沿うようにして位置する側面、及び下面にかけて、配線が位置するようになる。そして、この端子台６０は、図１１〜図１３に示されるように、その上面が第１部分５８よりも高くなるようにして第２部分５９に取り付けられている。つまり、端子台６０と第１部分５８との間には、第１部分５８に比して端子台６０の上面が高い段差が生じている。これにより、第１部分５８上を流れる結露水は、端子台６０の配線接続部分には流れず、端子台６０の背面、つまり第２部分５９と端子台６０との接触部分を伝って下方に流れていく。
【００８４】
尚、図９に示されるように、第１部分５８の略水平方向への長さは、水防止用天板５３における第１天板５４のケーシング２の正面側への長さよりも短い。そして、第２部分５９に端子台６０が取り付けられた際、第１天板５４のケーシング２側端部は、端子台６０のケーシング２正面側に沿って位置する側面よりも若干ケーシング２の正面寄りとなっている。つまり、第１天板５４は、端子台６０の該側面よりもケーシング２側に延びているため、第１天板５４は、第１制御基板５１だけではなく、端子台６０に対しても屋根となる役割を担っている。
【００８５】
また、第１制御基板５１とケーシング２の正面との間には、図４、図９及び図１１〜図１２に示されるように、絶縁シート６１が設けられている。絶縁シート６１は、ケーシング２の正面に沿って略鉛直に延びている。より具体的には、絶縁シート６１は、第１天板５４のうち、ケーシング２の正面側の端部と連結され、該端部から下方に向かって第１制御基板５１を覆うと共に、端子台６０の略半分にまで延びている。この絶縁シート６１により、第１制御基板５１において発生した熱や電流等は、ケーシング２に伝導しにくくなる。尚、絶縁シート６１の材質としては、ポリプロピレン等が挙げられる。
【００８６】
〔水の経路〕
ここで、上記構成を有する電装品ユニット５の上方から落下してきた結露水の経路について、図９〜図１２を用いて説明する。
【００８７】
先ず、四路切換弁４２の低圧配管４２ａに低圧冷媒が流れると、低圧配管４２ａの周りには結露が生じ、結露水は、電装品ユニット５の水防止用天板５３に落下する（図９の矢印Ｓ１）。水防止用天板５３のうち、第１天板５４上に落下した結露水は、第１天板５４がケーシング２の正面側から水防止用部材５６側に延びるのに伴い低くなるように傾斜していることから、第１天板５４上の第１溝５４ａ〜５４ｄ上を伝って第１所定方向ｄｒ１に流れる。そして、この結露水は、第１天板５４上から水防止用部材５６の裏面を伝って下方に流れる（図９の矢印Ｓ２）。即ち、結露水は、水防止用部材本体５７ａの裏面から突出部５７ｂの裏面を伝って下方に流れる。つまり、結露水は、突出部５７ｂの第２部分５９のうち、端子台６０の取り付け面の裏面を流れるため、端子台６０に接触することはない。
【００８８】
一方、水防止用天板５３のうち、第２天板５５上に落下した結露水は（図１０の矢印Ｓ３）、第２天板５５上の段差ｓｔによってせき止められ、第２制御基板５２における電装品の実装面及びリアクタＲｅ側（つまり、第２所定方向ｄｒ２）には流れない。
【００８９】
また、第１制御基板５１及び水防止用部材５６は、スペーサ部材ＳＰによって連結されているが、スペーサ部材ＳＰが貫通した状態にある該基板５１及び該部材５６の各スペーサ用貫通孔ｈｏ１，ｈｏ２には、多少の隙間がある。すると、水防止用部材５６の裏面を伝って下方に流れている結露水は、この隙間及びスペーサ部材ＳＰを伝って水防止用部材本体５７ａの表面や第１制御基板５１の表面（即ち、電装品の実装面）に到達してしまう恐れがある（図１１の矢印Ｓ４，Ｓ５）。このように、やむを得ず第１制御基板５１の表面や水防止用部材本体５７ａの表面に流れてきた結露水は、突出部５７ｂにおける第１部分５８上の水排出用貫通孔５８ａ〜５８ｂを通って端子台６０と接触することなく突出部５７ｂの下方に流れ落ちるか、または第１部分５８上の第２溝５８ｃ〜５８ｅを伝って第３所定方向ｄｒ３に流れる（図１１及び図１２）。第３所定方向ｄｒ３に流れた結露水は、第２部分５９に取り付けられている端子台６０と第１部分５８との段差により、端子台６０の配線接続部分には到達せず、端子台６０の裏面及び第２部分５９を伝って突出部５７ｂの下方に流れ落ちるようになる（図１１の矢印Ｓ６）。
【００９０】
（１−１０）放熱フィン
放熱フィン７は、第１制御基板５１上に実装されている発熱部品によって発せられた熱を放熱するためのものであって、該発熱部品に近接して配置されている。放熱フィン７は、例えば図４に示されるように、第１制御基板５１における電装品の実装面上に取り付けられている。また、電装品ユニット５及び放熱フィン７がケーシング２内に収納されている際には、放熱フィン７は、図１４に示されるように、機械室Ｓｑ１においてケーシング２の前端付近かつ側端付近に位置している。つまり、放熱フィン７は、正面視においてケーシング２の右端部付近、更にはアキュムレータ４４の上方に位置している（図９）。
【００９１】
次に、放熱フィン７とケーシング２の外気取り込み用開口２２ａとの位置関係について説明する。本実施形態では、外気取り込み用開口２２ａは、図１及び図１４に示されるように、ケーシング２のうち、放熱フィン７に対応する位置よりも下部であって、更には機械室Ｓｑ１に対応するケーシング２の部分の前端付近かつ側端付近に形成されている。より具体的には、本実施形態に係る外気取り込み用開口２２ａは、配管用開口２２ｂの上方かつ配管用開口２２ｂ付近に、スリット状に設けられている。つまり、放熱フィン７は、ケーシング２の外気取り込み用開口２２ａの上方に位置していることになる。
【００９２】
〔外気の経路〕
次に、上記構成を有する室外機１の機械室Ｓｑ１内部に取り込まれた外気の経路について、図１４を用いて説明する。
【００９３】
先ず、機械室Ｓｑ１に対応するケーシング２の部分（具体的には、右前板２２）に形成されている配管用開口２２ｂには、冷媒連絡配管が通っているが、該配管と配管用開口２２ｂとの間には隙間がある。外気は、この隙間を介してケーシング２の内部に取り込まれ、図１４の矢印Ｕ１に示されるように、機械室Ｓｑ１の下方から上方へと流れる。この時、外気は、第１制御基板５１に取り付けられた放熱フィン７付近の空気と混ざり、やがて仕切板２６の上部に形成された通気口２６ａ，２６ｂを通って送風室Ｓｑ２へと送られる。
【００９４】
更に、機械室Ｓｑ１に対応するケーシング２の部分（具体的には、右前板２２）に形成された外気取り込み用開口２２ａからも、外気が取り込まれる。この外気は、矢印Ｕ１と同様、機械室Ｓｑ１の上方へと流れる（図１４の矢印Ｕ２）。そして、この外気は、外気取り込み用開口２２ａの上方に位置する放熱フィン７付近の空気と混ざり、やがて通気口２６ａ，２６ｂを通って送風室Ｓｑ２へと送られる。
【００９５】
即ち、発熱部品により発せられ放熱フィン７によって放熱された熱は、配管用開口２２ｂ及び外気取り込み用開口２２ａから取り込まれた外気により、送風室Ｓｑ２へと送られる。従って、放熱フィン７が送風室Ｓｑ２側に突出していない構成であっても、機械室Ｓｑ１内部に熱がこもることを抑制することができる。
【００９６】
（２）効果
（Ａ）
本実施形態に係る空気調和装置の電装品ユニット５によると、略鉛直方向に延びる第１制御基板５１の上方には、略鉛直方向に対し交差する方向に延びる水防止用天板５３が設けられている。水防止用天板５３は、上方からの結露水を第１所定方向ｄｒ１に導くように、水平方向に対し第１所定角度θ１傾斜して配置された第１天板５４と、上方からの結露水が第２所定方向ｄｒ２に流れないようにするための段差ｓｔが形成された第２天板５５とを有する。つまり、水防止用天板５３は、第１制御基板５１における電装品の実装面に水が流れないように、傾斜して配置されると共に、段差ｓｔが形成されている。このような水防止用天板５３により、上方からの結露水が第１制御基板５１上の電装品に到達することを防ぐことができる。従って、電装品への水の接触による不具合の発生を防ぐことができる。
【００９７】
（Ｂ）
また、水防止用天板５３の上方には、低圧配管４２ａを有する四路切換弁４２が位置している。この低圧配管４２ａには低圧冷媒が流れるため、低圧配管４２ａの周囲における空気中の水蒸気が凝縮されて結露が生じ、水防止用天板５３には結露水が落下し易くなる。しかし、本実施形態に係る電装品ユニット５によると、水防止用天板５３は、水平方向に対し第１所定角度θ１傾斜して配置されると共に、段差ｓｔが形成されているため、落下してきた結露水は電装品に到達しにくくなる。
【００９８】
（Ｃ）
また、水防止用天板５３には、結露水の流れの拡張を制限するための第１溝５４ａ〜５４ｄが形成されている。そのため、結露水は、水防止用天板５３の第１溝５４ａ〜５４ｄを伝って流れる。従って、水防止用天板５３上の水の流れが拡張してしまい、水が第１制御基板５１の電装品に到達してしまうのを防ぐことができる。
【００９９】
（Ｄ）
また、水防止用天板５３は、第１制御基板５１における電装品の実装面とは反対の面側に配置された水防止用部材５６に連結されている。そのため、水防止用天板５３の上方から落下してきた結露水は、水防止用部材５６の裏面を伝って流れるようになる。
【０１００】
（Ｅ）
また、水防止用部材５６は、略鉛直に延びる水防止用部材本体５７ａと、水防止用部材本体５７ａの下端部から第１制御基板５１側へと突出する突出部５７ｂとを有する。突出部５７ｂには、端子台６０が設けられている。これにより、水防止用天板５３の上方から落下してきた結露水は、水防止用天板５３から水防止用部材本体５７ａ及び突出部５７ｂの各裏面を経て下方に流れていく。従って、端子台６０には、結露水が接触しにくくなる。
【０１０１】
（Ｆ）
また、突出部５７ｂは、第１制御基板５１側に延びる第１部分５８と、第１部分５８の先端部分から下方に延びる第２部分５９とを有する。そして、端子台６０は、第２部分５９のうち、第１制御基板５１における電装品の実装面と同じ側に取り付けられている。従って、水防止用部材５６の裏面を伝ってきた結露水は、第２部分５９の裏側、つまり端子台６０の取り付け面の裏面を流れるようになるため、端子台６０に結露水が接触するのを防止することができる。
【０１０２】
（Ｇ）
特に、本実施形態に係る第１部分５８は、第１制御基板５１側に略水平に延びているため、水防止用部材本体５７ａ及び突出部５７ｂが比較的肉薄の金属で一体成型されているとしても、突出部５７ｂの強度を保つことができる。
【０１０３】
（Ｈ）
また、本実施形態に係る電装品ユニット５によると、端子台６０は、その上面が突出部５７ｂの第１部分５８よりも高くなるように突出部５７ｂに取り付けられている。つまり、端子台６０と第１部分５８との間には、段差が生じている。これにより、仮に水防止用部材５６の表面を結露水が伝って流れてきたとしても、端子台６０と突出部５７ｂとの間の段差により、結露水は端子台６０側には流れにくくなる。
【０１０４】
（Ｉ）
また、本実施形態に係る電装品ユニット５によると、突出部５７ｂの第１部分５８には、水排出用貫通孔５８ａ〜５８ｂが形成されている。そのため、仮に水防止用部材５６の表面を結露水が伝って流れてきたとしても、この結露水は、水排出用貫通孔５８ａ〜５８ｂから下方へ落下するようになる。
【０１０５】
（Ｊ）
また、本実施形態に係る電装品ユニット５によると、突出部５７ｂの第１部分５８には、第２溝５８ｃ〜５８ｅが形成されている。そのため、仮に水防止用部材５６の表面を結露水が伝って流れてきたとしても、この結露水は第２溝５８ｃ〜５８ｅを伝って第３所定方向ｄｒ３に流れるようになる。第３所定方向ｄｒを、端子台６０に水が流れないような方向とすることで、端子台６０に水が到達しないようにすることができる。
【０１０６】
（Ｋ）
また、本実施形態に係る電装品ユニット５では、第１制御基板５１には第１スペーサ用貫通孔ｈｏ１，水防止用部材５６には第２スペーサ用貫通孔ｈｏ２がそれぞれ形成されている。しかしながら、スペーサ部材ＳＰが各スペーサ用貫通孔ｈｏ１，ｈｏ２を貫通して第１制御基板５１と水防止用部材５６とを連結しているとしても、各スペーサ用貫通孔ｈｏ１，ｈｏ２には多少の隙間がある状態となってしまう。すると、水防止用部材５６の裏面を流れていた結露水は、この隙間を介して水防止用部材５６の表面や、第１制御基板５１における電装品の実装面に流れてしまう（図１１のＳ４，Ｓ５）。しかし、本実施形態に係る電装品ユニット５では、第１制御基板５１の下方に位置する突出部５７ｂの第１部分５８には、水排出用貫通孔５８ａ〜５８ｂや第２溝５８ｃ〜５８ｅが形成されており、端子台６０の上面と突出部５７ｂの第１部分５８との間には段差が生じている。そのため、結露水が、各スペーサ用貫通孔ｈｏ１，ｈｏ２の隙間を介して水防止用部材５６の表面や、第１制御基板５１における電装品の実装面に伝って流れてきたとしても、この結露水は端子台６０側には流れにくくなる。
【０１０７】
（Ｌ）
上述した本実施形態に係る電装品ユニット５は、空気調和装置の室外機１に搭載することができる。
【０１０８】
＜その他の実施形態＞
（ａ）
上記実施形態では、図４や図６に示されるように、板状部材３が２つの配線支持部３２ａ，３２ｂを有すると説明した。しかし、配線支持部の個数は、２つに限定されず、例えば支持する配線の本数や長さ等により適宜決定された個数設けられてもよい。
【０１０９】
（ｂ）
上記実施形態では、図７（ａ）に示されるように、板状部材本体部３１と配線支持部３２ａ，３２ｂとが金属によって一体形成されると説明した。しかし、複数の配線支持部３２ａ，３２ｂは、板状部材本体部３１の部分３１ｂを介して繋がっていればよく、板状部材本体部３１と一体形成されていなくともよい。また、配線支持部３２ａ，３２ｂは、弾性変形可能な材質で形成されていればよく、材質は金属に限定されない。
【０１１０】
（ｃ）
上記実施形態では、電装品ユニット５の水防止用天板５３における第１天板５４が、第１所定方向ｄｒ１に結露水を導くように傾斜していると説明した。しかし、第１天板５４は、第１所定方向ｄｒ１に結露水を導くことができれば、傾斜して配置される代わりに、複数の段差が形成されていてもよい。即ち、第１天板５４には、ケーシング２の正面側に比して水防止用部材５６側が低くなるように、複数の段差が形成されていてもよい。これにより、上記実施形態と同様、第１天板５４上に落下してきた結露水は、第１制御基板５１の電装品には接触しにくくなる。
【０１１１】
（ｄ）
上記実施形態では、水防止用部材５６の突出部５７ｂにおける第１部分５８が、略水平に延びている場合について説明した。しかし、第１部分５８は、水防止用部材本体５７ａの下端部から第１制御基板５１側（即ち、ケーシング２の正面側）に延びていれば、水平でなくとも良い。
【０１１２】
図１５は、突出部５７ｂの第１部分５８が、水防止用部材本体５７ａ側よりも第１制御基板５１側（即ち、ケーシングの正面側）の方が高くなるように延びている場合を示している。つまり、第１部分５８は、第２部分５９側が高くなるように傾斜している。即ち、第１部分５８の水防止用部材本体５７ａ側端部は、端子台６０が取り付けられる第２部分５９側端部よりも低い。尚、第１部分５８には、凹状の第２溝５８ｃ〜５８ｅが形成されており、各第２溝５８ｃ〜５８ｅの水防止用部材本体５７ａ側端部付近には、水排出用貫通孔１５８ａ〜１５８ｃが１つずつ形成されている。
【０１１３】
上記構成によると、仮にスペーサ部材用貫通孔の隙間を伝って第１制御基板５１の表面や水防止用部材本体５７ａの表面に結露水が流れてきたとしても、この結露水は、第１部分５８の傾斜により、第２部分５９側には流れず、水防止用部材本体５７ａ側に流れる（即ち、矢印ｄｒ４の方向）。また、各第２溝５８ｃ〜５８ｅを伝って矢印ｄｒ４の方向に流れてきた結露水は、水排出用貫通孔１５８ａ〜１５８ｃを通って突出部５７ｂの下方へ落下する。このように、結露水は、第２部分５９側へは流れないため、端子台６０には結露水が到達しにくくなる。
【０１１４】
尚、図１５では、一例として、第２溝５８ｃ〜５７ｅの水防止用部材本体５７ａ側端部それぞれに水排出用貫通孔１５８ａ〜１５８ｃが設けられている場合を示しているが、水排出用貫通孔１５８ａ〜１５８ｃの位置は、これに限定されない。例えば、水排出用貫通孔１５８ａ〜１５８ｃは、第２溝５８ｃ〜５７ｅの中央部分等に形成されていてもよい。
【０１１５】
（ｅ）
次に、第１部分５８が略水平でない他の例として、第１部分５８が、水防止用部材本体５７ａ側よりも第１制御基板５１側（即ち、ケーシング２の正面側）の方が低くなるように延びている場合について、図１６を用いて説明する。
【０１１６】
図１６に示されるように、突出部５７ｂの第１部分５８は、第２部分５９側が低くなるように傾斜している。即ち、第１部分５８の水防止用部材本体５７ａ側端部は、端子台６０が取り付けられている第２部分５９側端部よりも高い。そして、第１部分５８には、凹状の第２溝５８ｃ〜５８ｅが形成されており、各第２溝５８ｃ〜５８ｅの第２部分５９側端部には、水排出用貫通孔２５８ａ〜２５８ｃが１つずつ形成されている。尚、上記実施形態と同様、端子台６０は、その上面が第１部分５８よりも高くなるように第２部分５９に取り付けられている。
【０１１７】
上記構成によると、仮に第１制御基板５１の表面や水防止用部材５６の表面を結露水が伝って流れてくると、この結露水は、第２部分５９側へと流れる（即ち、矢印ｄｒ５の方向）。しかし、第２溝５８ｃ〜５８ｅを伝って流れてきた結露水は、水排出用貫通孔２５８ａ〜２５８ｃを通って突出部５７ｂの下方へ落下する。更には、端子台６０の上面と第１部分５８との間には段差があるため、結露水は、端子台６０には到達しにくくなる。
【０１１８】
（ｆ）
上記実施形態では、突出部５７ｂにおける第１部分５８には、ケーシング２の正面側に向かって傾斜している凹状の第２溝５８ｃ〜５８ｅが形成されていると説明した。しかし、第２溝５８ｃ〜５８ｅは、傾斜せずともよい。
【０１１９】
また、第２溝５８ｃ〜５８ｅは、凹状ではなく、凸状に形成されていてもよい。これにより、水防止用部材５６が比較的肉薄の金属で形成されているとしても、第１部分５８の強度をより保つことができる。
【０１２０】
（ｇ）
上記実施形態では、突出部５７ｂに端子台６０が取り付けられる場合について説明した。しかし、本発明に係る突出部５７ｂに取り付けられる部品は、端子台６０のみに限定されない。突出部５７ｂには、端子台６０に加え、リアクタ等の電装品が更に取り付けられても良い（端子台６０及びリアクタ等は、第２電装品に相当）。
【０１２１】
（ｈ）
上記実施形態では、仕切板２６の上部に、２つの通気口２６ａ，２６ｂが形成されていると説明したが、通気口の数は２つに限定されず、例えば１つや３つであってもよい。
【０１２２】
（ｉ）
上記実施形態では、図１４に示されるように、外気取り込み用開口２２ａが、機械室Ｓｑ１に対応するケーシング２の部分の前端付近かつ側端付近に形成されていると説明した。しかし、外気取り込み用開口の位置はこれに限定されない。即ち、外気取り込み用開口は、ケーシング２の正面視において放熱フィン７に対応する位置よりも下部に設けられていれば、ケーシング２の部分の前端付近かつ側端付近でなくともよい。
【産業上の利用可能性】
【０１２３】
本発明に係る空気調和装置の電装品ユニットは、電装品への水の接触による不具合の発生を防ぐことができるという効果を有し、空気調和装置の室外機に搭載される電装品ユニットとして適用することができる。
【図面の簡単な説明】
【０１２４】
【図１】本実施形態に係る空気調和装置の室外機の外観斜視図。
【図２】本実施形態に係る空気調和装置の室外機の分解斜視図。
【図３】ケーシングの右前板、右側板、背面グリル及び天板が取り除かれた状態の、室外機の斜視図。
【図４】仕切板の一部分と、この仕切板の部分に取り付けられる電装品ユニット及び板状部材を示す図。
【図５】図３の室外機１のＶ−Ｖ断面を上側から見た場合の、ケーシングの左前側板、仕切板、板状部材における板状部材本体及び配線支持部を示す図。
【図６】板状部材の配線支持部に電源配線が支持された状態を示す、電装品ユニットの周辺図。
【図７ａ】板状部材本体と配線支持部とが一体形成された板状部材を説明するための図。
【図７ｂ】図７（ａ）の点線部分Ａ１〜Ａ４が折り曲げられることによって形成された板状部材の上面図。
【図８】図３の室外機において、機械室の部分を上から見た場合の図。
【図９】図３の室外機における機械室を、右側側面（図３の矢印Ｚ）から見た場合の図。
【図１０】図８の室外機からケーシングを除いた機械室の内部を、背面側（図８の矢印Ｖ）から見た場合の、囲い部Ｗ１付近の図。
【図１１】図９の端子台付近（図９の囲い部Ｗ２）の拡大図。
【図１２】図１１の端子台付近の斜視図。
【図１３】水防止用部材の突出部付近を、図３の室外機のＺ方向から見た場合の図であって、第２溝が第２所定角度傾斜している旨を説明するための図。
【図１４】放熱フィン及び外気取り込み用開口の位置と共に、外気の経路を説明するための図。
【図１５】その他の実施形態（ｄ）に係る突出部付近を示す図。
【図１６】その他の実施形態（ｅ）に係る突出部付近を示す図。
【符号の説明】
【０１２５】
１  室外機
２  ケーシング
２０  底板
２１  左前側板
２１ａ，２１ｂ  ファングリル
２２  右前板
２２ａ  外気取り込み用開口
２２ｂ  配管用開口
２３  右側板
２４  背面グリル
２５  天板
２６  仕切板
２６ａ，２６ｂ  通気口
２６ｃ  電装品ユニット用開口
２６ｄ  配線用開口
３  板状部材
３１  板状部材本体部
３２ａ，３２ｂ  配線支持部
４１  室外熱交換器
４２  四路切換弁
４２ａ  低圧配管
４２ｂ  吐出系の配管
４２ｃ  断熱材
４３  圧縮機
４４  アキュムレータ
４５  ＩＨヒータユニット
４６ａ，４６ｂ  送風ファン
５  電装品ユニット
５１  第１制御基板
５２  第２制御基板
５２ａ，５２ｂ  端子用コネクタ
５３  水防止用天板
５４  第１天板
５４ａ〜５４ｄ  第１溝
５５  第２天板
５５ａ  開口
５６  水防止用部材
５７ａ  水防止用部材本体
５７ｂ  突出部
５８  第１部分
５８ａ〜５８ｂ  水排出用貫通孔
５８ｃ〜５８ｅ  第２溝
５９  第２部分
６０  端子台
６１  絶縁シート
７  放熱フィン
ｈｏ１，ｈｏ２  第１及び第２スペーサ用貫通孔
ＳＰ  スペーサ部材
Ｓｑ１  機械室
Ｓｑ２  送風室
Ｒｅ  リアクタ
Ｓ１〜Ｓ６  水の経路
Ｕ１，Ｕ２  外気の経路
【図１】
2010071518.tif 000003
【図２】
2010071518.tif 000004
【図３】
2010071518.tif 000005
【図４】
2010071518.tif 000006
【図５】
2010071518.tif 000007
【図６】
2010071518.tif 000008
【図７ａ】
2010071518.tif 000009
【図７ｂ】
2010071518.tif 000010
【図８】
2010071518.tif 000011
【図９】
2010071518.tif 000012
【図１０】
2010071518.tif 000013
【図１１】
2010071518.tif 000014
【図１２】
2010071518.tif 000015
【図１３】
2010071518.tif 000016
【図１４】
2010071518.tif 000017
【図１５】
2010071518.tif 000018
【図１６】
2010071518.tif 000019